(57)【特許請求の範囲】
【請求項１】
複数の発光モードを有する照明装置を用いた撮影が可能な撮像装置であって、
前記複数の発光モードにて前記照明装置を動作させることが可能な第１及び第３の撮影モードと、前記複数の発光モードのいずれかの発光モードのみで前記照明装置を動作させることが可能な第２の撮影モードを含む複数の撮影モードから、一の撮影モードを選択する選択手段と、
撮影モードが前記第１の撮影モードから前記第２の撮影モードに変更されたのち、前記第２の撮影モードから前記第１の撮影モードに変更された場合、撮影モードが変更される前の前記第１の撮影モードにおいて設定されていた発光モードを、前記第２の撮影モードから前記第１の撮影モードに変更されたときの発光モードに自動的に設定する設定手段と、を有し、
前記設定手段は、撮影モードが前記第１の撮影モードから前記第３の撮影モードに変更されたのち、前記第３の撮影モードから前記第１の撮影モードに変更された場合、撮影モードが変更される前の前記第１の撮影モードにおいて設定されていた発光モードを、前記第３の撮影モードから前記第１の撮影モードに変更されたときの発光モードに自動的に設定しないことを特徴とする撮像装置。
【請求項２】
前記第１及び第３の撮影モードは、第１の発光モード及び第２の発光モードで前記照明装置を動作させることが可能であり、
前記第２の撮影モードは、前記第２の発光モードのみで前記照明装置を動作させることが可能であり、
前記設定手段は、前記第１の撮影モードにおいて前記第１の発光モードを設定していた場合に、撮影モードが前記第１の撮影モードから前記第２の撮影モードに変更されると発光モードに前記第２の発光モードを設定し、撮影モードが前記第２の撮影モードから前記第１の撮影モードに変更されると発光モードに前記第１の発光モードを設定することを特徴とする請求項１記載の撮像装置。
【請求項３】
前記第２の撮影モードは、シャッター速度と絞り値とをユーザが決定する撮影モードであって、
前記第２の発光モードは、発光量を固定して発光を行う発光モードであることを特徴とする請求項２記載の撮像装置。
【請求項４】
前記第１の撮影モードは、シャッター速度値優先撮影モード及び絞り値優先撮影モードの一方であって、
前記第３の撮影モードは、前記シャッター速度値優先撮影モード及び前記絞り値優先撮影モードの他方であって、
前記第１の発光モードは、自動調光を行う発光モードであることを特徴とする請求項３記載の撮像装置。
【請求項５】
前記第２の撮影モードは、シャッター速度と絞り値とを自動的に決定する撮影モードであって、
前記第２の発光モードは、自動調光を行う発光モードであることを特徴とする請求項２記載の撮像装置。
【請求項６】
前記第１の撮影モードは、シャッター速度値優先撮影モード及び絞り値優先撮影モードの一方であって、
前記第３の撮影モードは、前記シャッター速度値優先撮影モード及び前記絞り値優先撮影モードの他方であって、
前記第１の発光モードは、発光量を固定して発光を行う発光モードであることを特徴とする請求項５記載の撮像装置。
【請求項７】
前記第１の撮影モードにおいて設定されていた発光モードを記憶する記憶手段を有し、
前記設定手段は、撮影モードが前記第１の撮影モードから前記第２の撮影モードに変更されたのち、前記第２の撮影モードから前記第１の撮影モードに変更された場合、前記記憶手段に記憶された発光モードを、前記第２の撮影モードから前記第１の撮影モードに変更されたときの発光モードに自動的に設定することを特徴とする請求項１ないし６のいずれか１項記載の撮像装置。
【請求項８】
前記設定手段により設定された発光モードとなるように、前記照明装置の発光モードを変更させるための信号を出力する通信手段を有することを特徴とする請求項１ないし７のいずれか１項記載の撮像装置。
【請求項９】
請求項８記載の撮像装置に接続可能な照明装置であって、
前記照明装置は、前記撮像装置からの前記信号が入力されることにより、前記発光モードを変更することを特徴とする照明装置。
【発明の詳細な説明】
【技術分野】
【０００１】
本発明は撮像装置及び照明装置に係り、特に、デジタルカメラ等の撮像装置及び撮像装置に装着される外部ストロボ装置等の照明装置に関する。
【背景技術】
【０００２】
従来から、写真撮影は、昼間の自然光の下で行う撮影、暗中で閃光を被写体に向け発光させて行う所謂ストロボ撮影、又は、自然光と閃光を混ぜ合わせて行う所謂日中シンクロ撮影など、様々な条件で行われている。
【０００３】
上記条件での常識的な露出（以下、「適正露出」という。）で撮影する通常の撮影だけでなく、撮影者が高度な写真表現を行うことがある。このような目的として、例えば、被写体の露出を適正露出より少なめに露光させる所謂アンダー補正をしたり、反対に、露光を多めにする所謂オーバー補正を行う場合がある。このため、これらの撮影者の意図に沿って露出を補正できる機能を備えたカメラ、及び、外部ストロボ装置が種々提案され、一般に使用されている。
【０００４】
本願出願人による特許文献１には、外部ストロボ装置のストロボ発光量又は調光演算値に対しての補正量（以下、まとめて「ストロボ発光量」という。）を任意に設定可能な操作部材を具備するカメラが提案されている。本特許文献によれば、ストロボ発光量を任意に設定可能な外部ストロボ装置が用いられる場合には、外部ストロボ装置にストロボ発光量が設定されていないときに限り、カメラの操作部材によるストロボ発光量の設定が有効になる。また、外部ストロボ装置がストロボ発光量の設定機能を具備しない場合には、カメラの操作部材でストロボ発光量を任意に設定することが可能となる。
【０００５】
また特許文献２では、外部ストロボ装置から通信手段を介して受信した外部ストロボ装置に関する設定に基づき、この設定情報に対応した表示を行う表示手段を備えたカメラが提案されている。この提案によれば、カメラと外部ストロボ装置の表示を一致させることができるため、ユーザにとって使い勝手のよいストロボ装置及びカメラが提供される。
【特許文献１】特開２００３−４３５５９号公報（第２頁、図３）
【特許文献２】特開２０００−２５８８２４号公報（第２頁、図３）
【発明の開示】
【発明が解決しようとする課題】
【０００６】
外部ストロボ装置にストロボ発光量を任意に設定可能な機能が具備されている場合、ユーザはカメラと外部ストロボ装置の両方に備えられたストロボ発光量を設定する機能を使用することができる。
【０００７】
特許文献１のように、外部ストロボ装置にストロボ発光量が設定されていないときに限りカメラの設定を有効にする方法によれば、カメラの操作部材による設定に対して、外部ストロボ装置の操作部材による設定が必ず優先される。このため、ユーザは、外部ストロボ装置においてストロボ発光量が設定されているか否かを予め確認しておく必要がある。
【０００８】
そこで、外部ストロボ装置においてストロボ発光量が設定されているか否かに関わらず、外部ストロボ装置、カメラのそれぞれにおいて、ストロボ発光量の設定を可能とする構成が望まれる。このとき、外部ストロボ装置及びカメラの両方が同じ設定値を保持するように構成すれば、外部ストロボ装置及びカメラの両方からストロボ発光量の変更が可能となり、ユーザの利便性は向上する。
【０００９】
また、外部ストロボ装置とカメラの両方から設定変更が可能な構成とすると、次の問題が生じる。
【００１０】
例えば、カメラの撮影モードが絞り値優先モードやシャッター速度優先モードに設定され、外部ストロボ装置の発光モードが自動調光モードに設定されている状態で、撮影モードをマニュアル撮影モードに変更すると、発光モードは固定量発光モードに変更される。撮影モードがマニュアル撮影モードで、発光モードが自動調光モードであるという設定は、通常用いられないためである。
【００１１】
また、撮影モードがマニュアル撮影モードに変更された後、撮影モードが絞り値優先モードやシャッター速度優先モードに戻されると、発光モードについては固定量発光モードの状態が保持される。撮影モードが絞り値優先モードやシャッター速度優先モードの場合には、発光モードが自動調光モードと固定量発光モードのいずれでも適用可能であるためである。
【００１２】
このように、撮影モードが絞り値優先モードやシャッター速度優先モードに設定され、発光モードが自動調光モードに設定されている状態で、一時的に撮影モードをマニュアル撮影モードに変更すると、発光モードは固定量発光モードに変更される。この撮影が終わり、再度カメラの撮影モードを絞り値優先モードやシャッター速度優先モードに戻すと、撮影モードを元の設定に戻したにも関わらず、発光モードとして固定量発光モードが維持される。
【００１３】
つまり、カメラの撮影モードが一度でもマニュアル撮影モードに設定されると、外部ストロボ装置の発光モードは固定量発光モードとなってしまう。通常、自動調光モードを用いるユーザは、一時的に撮影モードをマニュアル撮影モードに変更すると、発光モードの再設定を行う必要がある。
【００１４】
そこで本発明は、撮影モードに応じて外部ストロボ装置の発光モードを変更するカメラ、また、カメラの撮影モードに応じて発光モードを変更する外部ストロボ装置を提供する。
【課題を解決するための手段】
【００１５】
上記課題を解決するため、本発明の撮像装置のうち代表的な一つは、複数の発光モードを有する照明装置を用いた撮影が可能な撮像装置であって、前記複数の発光モードにて前記照明装置を動作させることが可能な第１及び第３の撮影モードと、前記複数の発光モードのいずれかの発光モードのみで前記照明装置を動作させることが可能な第２の撮影モードを含む複数の撮影モードから、一の撮影モードを選択する選択手段と、撮影モードが前記第１の撮影モードから前記第２の撮影モードに変更されたのち、前記第２の撮影モードから前記第１の撮影モードに変更された場合、撮影モードが変更される前の前記第１の撮影モードにおいて設定されていた発光モードを、前記第２の撮影モードから前記第１の撮影モードに変更されたときの発光モードに自動的に設定する設定手段と、を有し、前記設定手段は、撮影モードが前記第１の撮影モードから前記第３の撮影モードに変更されたのち、前記第３の撮影モードから前記第１の撮影モードに変更された場合、撮影モードが変更される前の前記第１の撮影モードにおいて設定されていた発光モードを、前記第３の撮影モードから前記第１の撮影モードに変更されたときの発光モードに自動的に設定しないことを特徴とする。
【発明の効果】
【００１６】
本発明によれば、撮像装置の撮影モードが所定の撮影モードに変更された場合に、ユーザの利便性を向上させることができる。
【発明を実施するための最良の形態】
【００１７】
以下、本発明の実施例について、図面を参照しながら詳細に説明する。
【実施例１】
【００１８】
図１は、本発明の実施例１における撮像システムの回路構成を示すブロック図である。本実施例の撮像システムは、撮像装置としてのカメラと、照明装置としての外部ストロボ装置１１８とを備える。また、本実施例のカメラには、複数の発光モードを有する外部ストロボ装置１１８が接続可能である。
【００１９】
本図において、１０１は撮像レンズ、１０２は入射光量の制限及びシャッタを兼ねる絞り機構部、１０３は絞り機構部１０２を駆動する絞り駆動部である。１０４はＣＣＤやＣＭＯＳセンサに代表される二次元の撮像素子、１０５は撮像素子１０４を駆動する撮像素子駆動部である。また、１０６は相関２重サンプリングやＡＧＣ（Automatic Gain Control）を行う前段信号処理部、１０７はアナログ信号をデジタル信号化するＡ／Ｄ変換部、１０８はデジタル化された信号を処理するカメラ信号処理部である。
【００２０】
１０９は画像データの圧縮、伸長を行う画像データ圧縮伸長部、１１０は画像メモリ、１１１は圧縮した画像データの記録及び再生を行う画像データ記録再生部、１１２は半導体メモリ等に代表される記録媒体である。１１３は後述の表示装置を駆動する表示駆動部、１１４は液晶やＣＲＴに代表される表示装置である。
【００２１】
１１５は、アクセサリーシュー１１７を介して装着される外部ストロボ装置１１８との通信を制御する通信制御部である。通信制御部１１５は、外部ストロボ装置１１８との通信を行う通信手段として用いられる。通信制御部１１５は、後述するように、撮影モードに応じて発光モードを変更するための信号を伝達するためにも用いられる。
【００２２】
１１６はアクセサリーシュー１１７に備えている外部ストロボの装着を検知するための接続検知部である。１１９は記録開始トリガを与えるシャッタボタン等が配置されている操作スイッチ部である。１２０は一連の動作の制御を行うマイクロプロセッサユニット（以下、「ＭＰＵ」という。）である。ＭＰＵ１２０は、カメラの内部動作を制御する制御手段として用いられる。後述するように、ＭＰＵ１２０は、撮影モードに応じて発光モードを変更するための信号を通信制御部１１５を介して出力する制御手段としても用いられる。
【００２３】
次に、上記構成におけるカメラの動作について説明する。
【００２４】
被写体を撮像するのに十分な照度がある場合、撮像レンズ１０１を通った光束は絞り機構部１０２によって適切な露出に制御され、撮像素子１０４により光電変換される。被写体を撮像するのに十分な照度がない場合、外部ストロボ装置１１８による発光を伴わせながら、撮像素子１０４により光電変換される。撮像素子１０４は撮像素子駆動部１０５によって電荷の蓄積時間が制御されている。
【００２５】
前段信号処理部１０６においては、相関２重サンプリング、及び、利得制御を施され、Ａ／Ｄ変換部１０７にてアナログ信号からデジタル信号に変換される。デジタルに変換された信号は、カメラ信号処理部１０８においてオートホワイトバランス、輪郭強調などの処理がなされる。カメラ信号処理部１０８にて処理された信号はＭＰＵ１２０に伝えられ、その信号を基にフィードバック制御を行っている。
【００２６】
外部ストロボ装置１１８が用いられる場合、カメラは、外部ストロボ装置１１８に設定された設定値を取得し、また、外部ストロボ装置１１８に対する設定を行う。このため、カメラは、通信制御部１１５により外部ストロボ装置１１８との間で通信を確立している。取り付けられた外部ストロボ装置１１８との間で通信を行うか否かの判断は、接続検知部１１６により検出された結果に基づいて行われる。
【００２７】
前述した絞り制御、電荷蓄積時間制御、及び、利得制御のいずれも、ＭＰＵ１２０に入力される信号が適正値になるように制御される。このため、ＭＰＵ１２０は、絞り駆動部１０３、撮像素子駆動部１０５、及び、前段信号処理部１０６の利得制御を行っている。
【００２８】
カメラ信号処理部１０８で処理された信号は、記録時には表示駆動部１１３に供給される。撮像画像は、表示装置１１４にリアルタイムに表示される。これと同時に、操作スイッチ部１１９から記録開始のトリガが入力されると、ＭＰＵ１２０は、絞り駆動部１０３により、絞り機構部１０２を撮影用の絞り値に設定する。またＭＰＵ１２０は、前段信号処理部１０６を撮影用の感度に設定する。
【００２９】
また、ＭＰＵ１２０は絞り機構部１０２を絞り駆動部１０３により撮影用の蓄積時間で閉じ切り、シャッタ動作をするように設定する。その後、撮像素子１０４にて設定された蓄積時間だけ露光される。この露光期間の開始若しくは終了に同期した指示信号がアクセサリーシュー１１７を介して外部ストロボ装置１１８に供給されることにより、外部ストロボ装置１１８の発光部が発光する。
【００３０】
蓄積時間終了時に、絞り機構部１０２が閉じ切られることにより遮光される。遮光中に読み出された映像信号は、Ａ／Ｄ変換部１０７にてアナログ信号からデジタル信号に変換される。このデジタル信号は、カメラ信号処理部１０８を経て、画像データ圧縮伸長部１０９に供給される。画像データ圧縮伸長部１０９は、一旦、画像データを画像メモリ１１０に記憶する。画像メモリ１１０に記憶された画像データは、順次、ＪＰＥＧ等の形式に圧縮され、画像データ記録再生部１１１に出力される。これにより、半導体メモリ等の記録媒体１１２に画像データが記録される。
【００３１】
再生時には、記録媒体１１２から画像データ記録再生部１１１に画像データが読み取られる。この画像データは、画像データ圧縮伸長部１０９に供給される。ここで伸長された画像データは、画像メモリ１１０に一旦記憶される。この後、画像データは表示駆動部１１３に供給され、表示装置１１４において画像として再生される。
【００３２】
次に、外部ストロボ装置１１８とカメラの関係について説明する。
【００３３】
図２に、ＭＰＵ１２０が行う外部ストロボ装置１１８の検知シーケンスを示す。Ｓ２０１では、機械式スイッチにより構成された接続検知部１１６が、外部ストロボ装置１１８がカメラに接続されているか否かを判断する。Ｓ２０１において外部ストロボ装置１１８の接続が検知されない場合には、外部ストロボが接続されていないと判断される（Ｓ２０７）。
【００３４】
一方、外部ストロボ装置１１８の接続が検知された場合は、Ｓ２０２に進み、通信制御部１１５により、アクセサリーシュー１１７を介して、外部ストロボ装置１１８との通信が試みられる（Ｓ２０３）。Ｓ２０３で所望の返信信号が外部ストロボ装置１１８から返ってこない場合には、外部ストロボ装置１１８の電源が入っていないか、又は、通信非対応の外部ストロボ装置が接続されていると判断する（Ｓ２０８）。一方、所望の返信信号が帰ってきた場合は、Ｓ２０４に進み、通信が確立した判断として、次の通信を試みる。
【００３５】
続いて、Ｓ２０５において、カメラと外部ストロボ装置１１８との間で種々の通信を行う。この通信により、カメラは、接続されている外部ストロボ装置１１８がどのような機能を備えているのかなどの情報を取得する。ここで、接続されている外部ストロボ装置が、カメラとの通信に対応していない装置であると認識された場合には、非対応の外部ストロボ装置であると判断される（Ｓ２０９）。
【００３６】
一方、通信制御部１１５を介した通信により、外部ストロボ装置１１８が一つ以上の対応機能を備えていると認識された場合には、対応の外部ストロボ装置であると判断される（２０６）。この時点で、ユーザへの利便性のため、表示装置１１４に外部ストロボ装置１１８が発光可能であることの表示をしてもよい。
【００３７】
図２に示したシーケンスにより、カメラからの指示どおりに発光させることができる外部ストロボ装置１１８が接続されていると判断されると、外部ストロボ装置１１８を用いたストロボ撮影を行うことができる。
【００３８】
ところで、外部ストロボ装置１１８は、撮像動作における発光制御方法に関して、自動調光モードＡＳ及び固定量発光モードＭＳの２つの発光モードを備える。発光モードは、カメラ又は外部ストロボ装置１１８の少なくとも一方に設けられた操作部材、又は、リモコンにより設定される。また、発光モードは、ユーザが状況に応じて自由に変更可能である。
【００３９】
自動調光モードＡＳとは、露出不足を検出した場合、適正露出が得られるように自動的に発光するモードである。自動調光モードでは、外光下で得られる映像信号に基づき、外部ストロボ装置１１８をプリ発光させて得られる映像信号の増加分を検出し、撮影時（本発光時）に必要な発光量をＭＰＵ１２０で演算する。その演算結果を、通信制御部１１５から所定のコマンド信号とともにアクセサリーシュー１１７を介してシリアル通信し、撮影時に演算された発光量により発光させる（メニューにおいては「オート」と表示される。）。
【００４０】
カメラのプログラムモード、オートモードや、様々なシーンにおいて適切な露出やホワイトバランス制御をカメラが自動的に行うシーンモードなどでは、通常、自動調光モードＡＳにて発光が行われる。
【００４１】
一方、固定量発光モードＭＳとは、ガイドナンバーとして表現される発光量を固定して発光するモードである（メニューにおいては「マニュアル」と表示される。）。シャッター速度値優先モードＴｖ、又は、絞り値優先モードＡｖにおいて、ユーザが任意のガイドナンバーで外部ストロボ装置１１８を発光させたい場合に使用される。ここで、ガイドナンバーとは、フラッシュ発光の発光量を示す指標であり、値が大きいほど光量が大きいことを示す。このように、外部ストロボ装置１１８には、自動調光モードＡＳと固定量発光モードＭＳの２つの発光モードが変更可能に設定される。
【００４２】
発光モードは、操作スイッチ部１１９と表示装置１１４からなるカメラのユーザインターフェース（カメラＵＩ）において設定可能である。ただし、外部ストロボ装置１１８にも、発光モードを設定するための操作部材を備えていることがある。このとき、外部ストロボ装置１１８及びカメラのそれぞれにおいて発光モードを設定することができる。カメラは通信制御部１１５を備えており、外部ストロボ装置１１８とカメラとの間で発光モードに関する通信を行う。この結果、外部ストロボ装置１１８及びカメラのそれぞれにおいて設定された発光モードを他方に反映させることができる。このため、ユーザの利便性は向上する。
【００４３】
一方、カメラには、複数の撮影モードが備えられている。撮影モードとして、オート撮影モードＡ、シャッター速度値優先撮影モードＴｖ、絞り値優先撮影モードＡｖ、マニュアル撮影モードＭなどが、変更可能に設定される。
【００４４】
ここで、シャッター速度値優先撮影モードＴｖとは、速いシャッター速度で被写体の動きをとめたり、遅いシャッター速度で流動感を演出するための撮影モードである。また、絞り値優先撮影モードＡｖとは、背景をぼかして被写体を際立たせり、逆に、背景を際立たせたりするための撮影モードである。マニュアル撮影モードＭとは、シャッター速度や絞り値等の全てをユーザが決める撮影モードである。
【００４５】
上述のとおり、本実施例のカメラは、変更可能な発光モードを設定した外部ストロボ装置１１８が接続されるように構成されている。また、カメラには、変更可能な撮影モードが設定されている。また、カメラは、外部ストロボ装置１１８との通信制御を行うための通信制御部１１５を有する。通信制御部１１５は、撮影モードが変更された場合、変更後の撮影モードに応じて発光モードを変更するための信号を外部ストロボ装置１１８に出力する。外部ストロボ装置１１８はこの信号を入力すると、変更されたカメラの撮影モードに連動して、発光モードを変更する。
【００４６】
また、本実施例の外部ストロボ装置１１８は、変更可能な撮影モードを設定したカメラに接続されるように構成される。外部ストロボ装置１１８は、変更可能な発光モードが設定されている。外部ストロボ装置１１８は、カメラの撮影モードが変更された場合、変更後の撮影モードに応じて発光モードを変更するための信号をカメラの通信制御部１１５から入力される。外部ストロボ装置１１８は、この信号を入力すると、変更されたカメラの撮影モードに連動して、発光モードを変更する。
【００４７】
次に、カメラの撮影モードと外部ストロボ装置１１８の発光モードの関係について、より好ましい実施形態を説明する。
【００４８】
図３は、カメラ１００の撮影モードと外部ストロボ装置１１８の関係を示した状態遷移図である。このカメラ１００は、撮影モードを設定するためのダイアルを回転させることで、撮影モードを変更可能としている。ただし、撮影モードを変更するための構成はダイアルに限定されない。複数の撮影モードから一の撮影モードを選択する選択手段であれば、ボタンを押すことにより変更する構成や、リモコンで変更する構成など、他の構成を採用することもできる。
【００４９】
カメラ１００の撮影モードのダイアルがシャッター速度値優先撮影モードＴｖを示す位置にある場合、発光モードを自動調光モードＡＳ、又は、固定量発光モードＭＳのいずれに設定するかについては、ユーザが自由に選択できる。図３に示されるように、本実施例では、ユーザは、発光モードを自動調光モードＡＳに設定している（Ｓ１０１）。
【００５０】
次に、ユーザーが、外部ストロボ装置１１８の発光モードの設定を特にいじることなく、カメラ１００の撮影モードのダイアルをマニュアル撮影モードＭに変更したとする。このとき、カメラ１００の撮影モードがマニュアル撮影モードＭに設定されていれば、外部ストロボ装置１１８の発光モードは固定量発光モードＭＳに変更される（Ｓ１０２）。このため、カメラ１００側でユーザが任意の発光量を設定すれば、その設定された発光量で外部ストロボ装置１１８を発光させることができる。
【００５１】
ここで、カメラ１００の撮影モードと外部ストロボ装置の発光モードとを連動して変更させると、撮影モードのダイアルがマニュアル撮影モードＭを通過した場合、外部ストロボ装置１１８は、必ず、固定量発光モードＭＳに変更される。すなわち、図３のＳ１０１の状態で、撮影モードをマニュアル撮影モードＭに変更した後にシャッター速度値優先撮影モードＴｖに戻すと、発光モードは固定量発光モードＭＳとなる。これは、撮影モードがシャッター速度値優先撮影モードＴｖのときには、発光モードは自動調光モードＡＳと固定量発光モードＭＳのどちらも設定可能だからである。このため、上記状態においては、シャッター速度値優先撮影モードＴｖに戻した際には、ユーザが設定した任意の発光量が引き継がれることになる。
【００５２】
このように、上記構成では、カメラ１００の撮影モードがマニュアル撮影モードＭを通過すると、発光モードは必ず固定量発光モードＭＳとなる。このため、自動調光モードを多用しているユーザにとっては、撮影モードと発光モードが例外なく連動すると不便なこともある。
【００５３】
そこで、カメラ１００又は外部ストロボ装置１１８は、シャッター速度値優先撮影モードＴｖで設定されていた自動調光モードＡＳをメモリ装置等の記憶手段に記憶しておくことが好ましい。このように構成すると、撮影モードがマニュアル撮影モードＭに変更されてから第１の撮影モードに戻された場合、設定手段は自動調光モードを設定する（Ｓ１０３）。このように構成すれば、自動調光モード（ＡＳ）を多用するユーザにとって便利なカメラ及び外部ストロボ装置を提供することができる。
【００５４】
なお、記憶手段に第１の発光モードを記憶させるタイミングは、第１の撮影モード設定時でもよいし、第２の撮影モードへの変更時でもよい。また、その他のタイミングで第１の発光モードを記憶させる構成でも構わない。
【００５５】
また、記憶手段は、外部ストロボ装置１１８に設けられているものでもよいし、また、カメラ１００に設けられているものでもよい。さらには、外部ストロボ装置１１８とカメラ１００の両方に設けられた記憶手段に記憶させておくこともできる。
【００５６】
このように、記憶手段に記憶された自動調光モードＡＳは、マニュアル撮影モードＭからシャッター速度値優先撮影モードＴｖに戻されたときに読み出される。このため、第２の撮影モードが第１の撮影モードに変更されたとき、発光モードは設定手段により第１の発光モードに設定される。
【００５７】
一方、撮影モードがシャッター速度値優先撮影モードＴｖであり、かつ、発光モードが固定量発光モードＭＳに設定されている状態において、撮影モードを絞り値優先撮影モードＡｖに変更してからＴｖに戻した場合、発光モードはＭＳのまま保持される。これは、撮影モードの変更に応じて発光モードが変更される過程がないためである。この一連の動作中における発光モードとしては、固定量発光モードＭＳが維持される。
【００５８】
また、変形例として、撮影モードがシャッター速度値優先撮影モードＴｖに設定され、かつ、発光モードが固定量発光モードＭＳに設定されている状態を考える。この状態で、撮影モードがオート撮影モードＡに変更され、再度、シャッター速度値優先撮影モードＴｖに変更される。この例では、カメラ１００の撮影モードがオート撮影モードＡに変更されたとき、発光モードは、自動調光モードＡＳに変更される。
【００５９】
カメラ１００の撮影モードがシャッター速度値優先撮影モードＴｖに戻されると、設定手段は、このときの発光モードを、カメラ１００又は外部ストロボ装置１１８の記憶手段に記憶された固定量発光モードＭＳに設定する。
【００６０】
カメラ１００の撮影モードがオート撮影モードＡに変更されると、外部ストロボ装置１１８の発光モードは、強制的及び自動的にＭＳからＡＳに変更される。このため、その後、撮影モードが、ＭＳとＡＳの両方の発光モードを設定し得るＴｖ（又は、Ａｖ）に変更された場合には、記憶手段に記憶された固定量発光モードＭＳに設定されることが望ましい。この設定動作は、設定手段により行われる。
【００６１】
図４は、撮影モードと発光モードの関係を示したフローチャートである。
【００６２】
まず、カメラ１００の制御手段は、選択手段により設定された撮影モードがシャッター速度値優先撮影モードＴｖ、又は、絞り値優先撮影モードＡｖであるか否かを判定する（Ｓ４０１）。
【００６３】
カメラ１００の制御手段は、撮影モードがＴｖ、Ａｖのいずれでもないと判断した場合、次に、撮影モードがオート撮影モードＡであるか否かを判定する（Ｓ４０７）。撮影モードがオート撮影モードＡの場合には、発光モードは自動調光モードＡＳに設定される（Ｓ４０８）。撮影モードがオート撮影モードＡでない場合、撮影モードはマニュアル撮影モードＭと判定される。このとき、発光モードは固定量発光モードＭＳに設定される（Ｓ４０９）。
【００６４】
一方、カメラ１００の制御手段は、撮影モードがＴｖ、Ａｖのいずれかであると判断した場合、ユーザが設定した発光モード（ＡＳ又はＭＳ）を記憶手段に記憶する（Ｓ４０２）。以下、このときの撮影モードを第１の撮影モードとして、また、このときの発光モードを第１の発光モードとして説明する。
【００６５】
次に、制御手段は、撮影モードがオート撮影モードＡ又はマニュアル撮影モードＭのいずれかに変更されたか否かを判定する（Ｓ４０３）。このオート撮影モードＡ又はマニュアル撮影モードＭを第２の撮影モードとし、第２の撮影モードに変更することによって設定される発光モードを第２の発光モードとする。撮影モードがオート撮影モードＡ又はマニュアル撮影モードＭのいずれかに変更されるまでは、Ｓ４０３の判断が繰り返し実行される。撮影モードがオート撮影モードＡ又はマニュアル撮影モードＭのいずれかに変更されると、発光モードはこの第２の撮影モードに連動して第２の発光モードに変更される。具体的には、第２の撮影モードがオート撮影モードＡに設定された場合、第２の発光モードは自動調光モードＡＳに設定される。また、第２の撮影モードがマニュアル撮影モードＭに設定された場合、第２の発光モードは固定量発光モードＭＳに設定される（Ｓ４０４）。
【００６６】
次に、制御手段は、第２の撮影モードが第１の撮影モード（Ｔｖ又はＡｖ）に戻されたか否かを判定する（Ｓ４０５）。第２の撮影モードが第１の撮影モードに戻されていない場合、Ｓ４０５の判断が繰り返し実行される。
【００６７】
設定手段は、第２の撮影モードが第１の撮影モード（Ｔｖ又はＡｖ）に戻されたと判断すると、このときの発光モードを、記憶手段に予め記憶しておいた第１の発光モード（ＡＳ又はＭＳ）に設定する（Ｓ４０６）。
【００６８】
以上のとおり、本実施例によれば、カメラ１００と外部ストロボ装置とは互いに接続可能であり、カメラ１００に設定された撮影モードに応じて外部ストロボ装置１１８の発光モードが変更される。このため、カメラ１００の撮影モードと外部ストロボ装置１１８の発光モードとを連動して変更させることができる。
【００６９】
また、カメラ１００の撮影モードがいずれの発光モードにも適用できるシャッター速度値優先撮影モードＴｖや絞り値優先撮影モードＡｖの場合、第１の撮影モード時に設定された第１の発光モードを記憶させておくことが可能である。このように構成すれば、第１の撮影モードが第２の撮影モード（マニュアル撮影モードＭ、オート撮影モードＡ）に変更され、その後に第１の撮影モードに戻された場合、予め記憶しておいた第１の発光モードを設定することができる。この結果、カメラ１００の撮影モードを変更するダイアル（選択手段）が特定の撮影モードを通過しただけで、外部ストロボ装置１１８の発光モードが変更されるという、ユーザの不便を解消することができる。
【実施例２】
【００７０】
図５は、本発明の実施例２における撮像システムの構成を示す概略図である。
【００７１】
図５において、９０１はデジタルカメラで、上記と同様の情報の入力装置である。９０２は、このデジタルカメラ９０１とＵＳＢケーブル９０４で接続されたＰＣ上で動作しているアプリケーションソフトである。このモデルでは、デジタルカメラ９０１をＰＣにＵＳＢ接続すると、ＰＣ上にアプリケーションソフト９０２が起動し、デジタルカメラ９０１内部に設定されている撮影に関する各種設定パラメータ項目とその内容を表示する。この状態で、デジタルカメラ９０１の操作部材を操作して撮影設定を変更すると、それに連動してアプリケーションソフト９０２の表示が更新される。同様に、ＰＣ上のアプリケーションソフト９０２を操作してデジタルカメラ９０１、外部ストロボ装置９０３内の撮影設定を変更したりすると、それに連動してアプリケーションソフト９０２の表示が更新される。
【００７２】
図６は、図５におけるアプリケーションソフト９０２の操作によってデジタルカメラ９０１、外部ストロボ装置９０３内部の撮影設定を変更する処理を示す図である。
【００７３】
まず、アプリケーションソフト９０２の操作によって、デジタルカメラ９０１、及びｂ、外部ストロボ装置９０３に、撮影設定変更コマンドを送信する（ステップＳ１００１）。デジタルカメラ９０１はこのコマンドを受けて、指定された撮影設定を変更する（ステップＳ１００２）。その後、デジタルカメラ９０１は、ＰＣに対して、デジタルカメラ９０１、及び、外部ストロボ装置９０３内部の撮影設定に変更が発生したことを示すＣｈａｎｇｅ  Ｒｅｌｅａｓｅ  ＰａｒａＭイベントを発行する（ステップＳ１００３）。ＰＣ側のアプリケーションソフト９０２は、この発行されたイベントを受けて、デジタルカメラ９０１、外部ストロボ装置９０３内の撮影設定パラメータを取得するためのコマンドをデジタルカメラ９０１に送信する。ＰＣ側のアプリケーションソフト９０２は、デジタルカメラ９０１、外部ストロボ装置９０３内の撮影設定項目群を再度取得し直すコマンドをデジタルカメラ９０１に送る（ステップＳ１００４）。デジタルカメラ９０１は、このコマンドを受けて、現在の撮影設定項目群をＰＣに送る（ステップＳ１００５）。ＰＣ側のアプリケーションソフト９０２は、このデータを受けて、最新の情報に表示を更新する（ステップＳ１００６）。
【００７４】
このようなイベントを用いることにより、ＰＣ側のアプリケーションソフト９０２は、デジタルカメラ９０１、外部ストロボ装置９０３内のどの撮影設定項目に変更が発生したかなどを判別することができる。また、変更の処理を分岐する必要がなく、どのような変更の場合でも同一の処理で対応できる。
【００７５】
このため、ＰＣ側のアプリケーションソフト９０２の処理を単純化できる。また、複数の設定項目が同時に変更された場合にも、１度の処理でデジタルカメラ９０１、外部ストロボ装置９０３側の最新情報をＰＣ側のアプリケーションソフト９０２に反映することができる。
【００７６】
図７は、図５におけるデジタルカメラ９０１、外部ストロボ装置９０３を操作することによってデジタルカメラ９０１、外部ストロボ装置９０３内の撮影設定項目を変更する処理を示す図である。まず、デジタルカメラ９０１、外部ストロボ装置９０３側のＵＩを操作して、デジタルカメラ９０１、外部ストロボ装置９０３の撮影設定を変更する（ステップＳ１１０１）。その後、デジタルカメラ９０１はＰＣに対してデジタルカメラ９０１、外部ストロボ装置９０３内部の撮影設定に変更が発生したことを示すＣｈａｎｇｅ  Ｒｅｌｅａｓｅ  ＰａｒａＭイベントを発行する（ステップＳ１１０２）。
【００７７】
このようなデジタルカメラ９０１とＵＳＢケーブル９０４で接続されたＰＣ上で動作しているアプリケーションソフト９０２からなる構成においても、実施例１と同様の処理を行なうことが可能である。
【００７８】
以上のとおり、本発明について詳細に説明したが、本発明は上記実施例に限定されず、技術思想を逸脱しない範囲で適宜変更可能である。上記実施例は、撮像装置としてカメラを用い、照明装置としてストロボ装置を用いた実施例である。しかし、これに限られず、例えば、撮像装置としてビデオカメラを用い、照明装置としてビデオライトを用いた撮像システムを構成することもできる。
【図面の簡単な説明】
【００７９】
【図１】実施例１における撮像システムの回路構成を示すブロック図である。
【図２】実施例１における外部ストロボ装置の装着を検出する際のシーケンス図である。
【図３】実施例１における撮影モードと発光モードの関係を示す状態遷移図である。
【図４】実施例１における撮影モードと発光モードの関係を示すフローチャートである。
【図５】実施例２における撮像システムの構成を示す概略図である。
【図６】実施例２におけるアプリケーションソフトの操作によりデジタルカメラの設定を変更する処理を示す図である。
【図７】実施例２におけるデジタルカメラの操作によりデジタルカメラの設定を変更する処理を示す図である。
【符号の説明】
【００８０】
１００…カメラ
１１４…表示装置
１１５…通信制御部
１１６…      外部ストロボ接続検知部
１１７…      アクセサリーシュー
１１８…      外部ストロボ装置
１１９…      操作スイッチ
１２０…      マイクロプロセッサユニット
９０１…デジタルカメラ
９０２…アプリケーションソフト
９０３…外部ストロボ装置
９０４…ＵＳＢケーブル
【図１】
0005328121.tif 000002
【図２】
0005328121.tif 000003
【図３】
0005328121.tif 000004
【図４】
0005328121.tif 000005
【図５】
0005328121.tif 000006
【図６】
0005328121.tif 000007
【図７】
0005328121.tif 000008